(57)【要約】【課題】  操作性及びグリップ感の優れた撮像装置を提供すること。【解決手段】  電源を供給するバッテリーを表示部が閉じた状態で対向する位置に配置し、撮像装置本体背面に対し略平行に基板を設け、基板に操作部スイッチや接点ランド、カード状記録媒体装着部を実装することで、操作部を撮像装置本体背面に集中配置することや、基板の実装効率向上及び操作性向上に効果を上げることが可能となり、また、カード状記録媒体を保護する保護蓋の材質を柔軟材とし、形状を撮像装置本体の底面、背面及び隣接する側面を含む形状としたので、撮像装置本体をグリップした時に、保護蓋が親指の根元（関節部）が当たる部分に配置されることによって、当たりが柔らかくなり、グリップ感の向上が可能となり、さらに、保護蓋の撮像装置底面側に受け足を形成することで、撮像装置本体の滑り止めの役割を果たすことが可能となる。【選択図】        図２
2006352541.tif 000002
【特許請求の範囲】
【請求項１】
撮像部と、画像をテープ状記録媒体又はディスク状記録媒体等に記録する主記録部と、画像をカード状記録媒体に記録するカード状記録媒体装着部と、撮像装置本体底面に配置された前記カード状記録媒体の挿入口と、前記カード状記録媒体装着部が配置される基板と、前記カード状記録媒体を保護するために開閉自在に設けられた保護蓋と、を備えた撮像装置において、前記基板を撮像装置本体背面に対し略平行に配置したことを特徴とする撮像装置。
【請求項２】
撮像装置本体側面に配置された開閉自在に設けられた表示部を備え、前記表示部を閉じた状態で対向する位置にバッテリーを配置したことを特徴とする請求項１に記載の撮像装置。
【請求項３】
前記保護蓋の材質は柔軟材であることを特徴とする請求項１または２に記載の撮像装置。
【請求項４】
前記保護蓋は、撮像装置の底面、背面及び隣接する側面を含む形状であることを特徴とする請求項１から３の何れかに記載の撮像装置。
【請求項５】
前記保護蓋に撮像装置本体の受け足を形成することを特徴とする請求項１から４の何れかに記載の撮像装置。
【請求項６】
前記保護蓋は前記挿入口を露出する位置と覆う位置とに回動可能であって、前記保護蓋の回転中心は前記撮像装置の底面側に設けられることを特徴とする請求項１から５の何れかに記載の撮像装置。
【請求項７】
前記基板に操作スイッチ又は接点ランドを設けたことを特徴とする請求項１から６の何れかに記載の撮像装置。
【発明の詳細な説明】
【技術分野】
【０００１】
本発明は撮像装置に関し、特に、カード状記録媒体に撮影画像等を記録、再生するカード型記録装置を備えた撮像装置に関するものである。
【背景技術】
【０００２】
デジタルカメラなどの撮像装置においては、撮影画像を記憶するメモリー部を着脱式に構成させ、撮影後はこのメモリーをパソコンなどの周辺機器へ装着し画像データの授受を行えるものが普及している。そしてこの着脱式メモリーの形状は、カメラのコンパクト化に応じられる様な薄型のカード状のものが一般的であり、ＳＤカードやコンパクトフラッシュ（登録商標）、メモリースティックなど、数種類の形式が開発され、広く市場に出回っている。
【０００３】
そこで、近年、ＳＤカードやメモリースティックなどのカード状記録媒体の装着部を内蔵したビデオカメラが提案されている。
【０００４】
これらカード状記録媒装着部を内蔵可能にしたビデオカメラによれば、撮影した画像をテープやディスクなどの記録媒体に記録すると共に、カード状記録媒体にも画像を記録することが可能である。よって、ビデオカメラ本体からカード状記録媒体を取り出し、カード状記録媒体を介してパーソナルコンピューターに画像を取り込むことが可能であり、ユーザーにとって優れた利便性を有している。
【０００５】
例えば、カード状記録媒体の装着部を内蔵したビデオカメラが特許文献１「電子機器装置」に開示されている。
【０００６】
図１０から図１３は、特許文献１に記載されているようなカード状記録媒体の装着部を内蔵した従来のビデオカメラの一般的なレイアウトを説明するための図である。
【０００７】
図１０は、従来のビデオカメラの右側面図、図１１は同ビデオカメラを後方から見た図、図１２は同ビデオカメラを上面から見た図である。
【０００８】
この従来のビデオカメラでは、図１０及び図１１に示すようにビデオカメラ本体１００側面にカード状記録媒体を装填するための挿入口を開閉するための保護蓋１０１を配置し、ビデオカメラ本体１００背面にバッテリー１０２を装着可能な構成としている。
【特許文献１】特開２００３−２１９２４８号公報
【発明の開示】
【発明が解決しようとする課題】
【０００９】
しかしながら、上記の構成では、ビデオカメラ本体１００背面にバッテリー１０２を配置しているため、スペース的に電源スイッチ１０３やトリガーボタン１０４などの必要最小限の操作部しか配置出来ないために操作性に問題がある恐れがあった。
【００１０】
すなわち、ビデオカメラの多機能化のために操作ボタンをビデオカメラ本体１００に多く設ける場合、ビデオカメラ本体１００背面にバッテリー１０２を装着可能な構成とすると、場合によっては、図１０に示すように操作ボタン１０５ａ，１０５ｂ，１０５ｃ，１０５ｄ，１０５ｅ，１０５ｆを表示部１０６の収納部内に設けざるを得ない場合もある。これらの操作ボタン１０５ａ，１０５ｂ，１０５ｃ，１０５ｄ，１０５ｅ，１０５ｆの操作は、表示部１０６を開いた状態でないと操作できないと共に、ビデオカメラ本体１００をグリップしていない左手でないと操作できないといった操作し難いものとなる恐れがある。
【００１１】
また、ビデオカメラ本体１００背面のバッテリー１０２横に電源スイッチ１０３やトリガーボタン１０４などの必要最小限の操作スイッチを配置する場合においても、操作性を考慮するとある程度の大きさを確保しなければならず、その結果ビデオカメラ本体１００側面より電源スイッチ１０３やトリガーボタン１０４が張り出してしまい（図１２のＸ寸法）、ビデオカメラ本体１００が大型化してしまうといった問題があった。
【００１２】
さらに、ビデオカメラ本体１００側面に保護蓋１０１を配置する構成とした場合では、例えば、保護蓋１０１を回転可能な構成とすると、回転軌跡上の逃げ形状（図１０のＹ）が見えてしまうため、外観上見栄えの悪いものとなる恐れがあった。
【００１３】
また、保護蓋１０１はメモリーカードを保護する保護蓋のみの役割しか果たしておらず、保護蓋１０１を有効活用できていないといった問題があった。
【００１４】
また、図１３はビデオカメラ本体１００をグリップした状態を示す図であるが、親指の根元部分（関節部）にビデオカメラ本体背面の角部（図１１のＺ）が当たるため、手に違和感を生じるといった問題があった。
【００１５】
本発明は上記のような問題点を解決するためになされたものであり、操作部やカード状記録媒体装着部、カード状記録媒体の保護蓋、バッテリーを最適な位置に配置することにより、操作性及びグリップ感の優れた撮像装置を提供することを目的とする。
【課題を解決するための手段】
【００１６】
前記の目的を達成するために、請求項１に記載の発明は、撮像部と、画像をテープ状記録媒体又はディスク状記録媒体等に記録する主記録部と、画像をカード状記録媒体に記録するカード状記録媒体装着部と、撮像装置本体底面に配置された前記カード状記録媒体の挿入口と、前記カード状記録媒体装着部が配置される基板と、前記カード状記録媒体を保護するために開閉自在に設けられた保護蓋と、を備えた撮像装置において、前記基板を撮像装置本体背面に対し略平行に配置したことを特徴とした。
【００１７】
請求項２に記載の発明は、請求項１に記載の撮像装置において、さらに撮像装置本体側面に配置された開閉自在に設けられた表示部を備え、前記表示部を閉じた状態で対向する位置にバッテリーを配置したことを特徴とした。
【００１８】
請求項３に記載の発明は、請求項１または２に記載の撮像装置において、前記保護蓋の材質は柔軟材であることを特徴とした。
【００１９】
請求項４に記載の発明は、請求項１から３の何れかに記載の撮像装置において、前記保護蓋は、撮像装置の底面、背面及び隣接する側面を含む形状であることを特徴とした。
【００２０】
請求項５に記載の発明は、請求項１から４の何れかに記載の撮像装置において、前記保護蓋に撮像装置本体の受け足を形成することを特徴とした。
【００２１】
請求項６に記載の発明は、請求項１から５の何れかに記載の撮像装置において、前記保護蓋は前記挿入口を露出する位置と覆う位置とに回動可能であって、前記保護蓋の回転中心は前記撮像装置の底面側に設けられることを特徴とした。
【００２２】
請求項７に記載の発明は、請求項１から６の何れかに記載の撮像装置において、前記基板に操作スイッチ又は接点ランドを設けたことを特徴とした。
【発明の効果】
【００２３】
本発明によれば、撮像装置において、電源を供給するバッテリーを表示部が閉じた状態で対向する位置に配置し、撮像装置本体背面に対し略平行に基板を設け、基板に操作部スイッチや接点ランド、カード状記録媒体装着部を実装する。よって、操作部を撮像装置本体背面に集中配置することが可能となり、基板の実装効率向上及び操作性向上に効果を上げることが可能となる。
【００２４】
また、カード状記録媒体を保護する保護蓋の材質を柔軟材とし、形状を撮像装置本体の底面、背面及び隣接する側面を含む形状としたので、撮像装置本体をグリップした時に、保護蓋が親指の根元（関節部）が当たる部分に配置されることによって、当たりが柔らかくなり、グリップ感の向上に効果を上げることが可能となる。
【００２５】
また、保護蓋の回転中心を撮像装置本体底面側に配置したので、回転軌跡上の逃げ形状を外観上目立たなくすることが可能となる。
【００２６】
さらに、保護蓋の材質を柔軟材とすることで、カード状記録媒体を取り出す時において、保護蓋が手に当たっても違和感無くカード状記録媒体を取り出すことが可能となる。
【００２７】
また、保護蓋の撮像装置底面側に受け足を形成することで、撮像装置本体の滑り止めの役割を果たすことが可能となる。
【発明を実施するための最良の形態】
【００２８】
以下、本発明の実施の形態について図面を参照しながら説明する。
【実施例】
【００２９】
図１は本発明の実施形態におけるビデオカメラの正面方向（被写体側）右側から見た斜視図、図２は同ビデオカメラの後方（撮影者側）から見た背面図、図３は同ビデオカメラの左側面図、図４は同ビデオカメラの底面図である。
【００３０】
図１において、１はビデオカメラ本体、２はビデオカメラ本体１の長手方向前方（被写体側）に設けられたレンズ部、３は撮影音声を集音するマイク部、４は撮影画像を確認するための表示部であり、２．５インチ程度の液晶パネルなどより構成される。また、表示部４は、ヒンジ機構によって開閉及び回転が可能である。
【００３１】
５ａ，５ｂ，５ｃ，５ｄ，５ｅ，５ｆ，５ｇは各種操作ボタンであり、再生／一時停止、停止、早送り、巻き戻し等の再生操作、デジタルエフェクトの可否、連写機能の設定、セルフタイマーの設定等を行うことが可能である。
【００３２】
６はビデオカメラ本体１の内部に設けられた記録再生装置（不図示）に磁気テープ等の記録媒体を装填するための開口を開閉するカセットカバー、７はカセットカバーを開動作させるオープンツマミである。
【００３３】
８はズーム操作を行うためのズームツマミ、９は静止画の記録を行うフォトボタンである。
【００３４】
図２において、１０は撮影画像を確認するための接眼タイプのファインダー部、１１はメニュー表示のＯＮ／ＯＦＦの切替え等を行うメニューボタン、１２はメニューの選択・決定等を行うメニューツマミ、１３は撮影時にホワイトバランスの設定を行うホワイトバランス設定ボタン、１４は撮影時にオート／マニュアルフォーカス選択を設定するフォーカス設定ボタン、１５は撮影時に露出を設定する露出設定ボタンである。
【００３５】
１６はモードダイヤルであり、ダイヤルを回転動作することで、全自動モード、シャッタースピード優先モード、絞り優先モードなどの撮影イメージに合わせたプログラム自動露出を設定することが可能である。
【００３６】
１７は電源ダイヤルであり、回転動作することで電源オフ、撮影モード、再生モードを切り替えることが可能である。
【００３７】
１８はトリガーボタンであり、押圧動作することで、動画撮影のスタート／ストップを行うことが可能である。
【００３８】
１９は記録媒体切替えレバーであり、回転動作することで、画像を記録する記録媒体を選択することが可能である。
【００３９】
このように、本実施形態におけるビデオカメラは、撮影時に頻繁に使用する電源ダイヤル１７、モードダイヤル１６、記録媒体切替えレバー１９、メニューボタン１１、メニューツマミ１２、ホワイトバランス設定ボタン１３、フォーカス設定ボタン１４、露出設定ボタン１５などの撮影系操作ボタンをビデオカメラ本体１背面に集中配置していることに特徴がある。
【００４０】
次に本発明の特徴とするカード状記録媒体装着部、カード状記録媒体の保護蓋、バッテリーの配置について詳しく説明する。
【００４１】
図５は本発明の実施形態におけるビデオカメラの後方（撮影者側）から見た斜視図である。
【００４２】
２０はビデオカメラ本体１に電源を供給するバッテリーであり、図５に示すように、表示部４が閉じた状態で対向する位置に配置されている。
【００４３】
図６（ａ）は本実施形態のビデオカメラ後部を後方（撮影者側）から見た分解斜視図、図６（ｂ）は同ビデオカメラ後部の前方（被写体側）から見た分解斜視図である。
【００４４】
図６（ａ）及び図６（ｂ）において、２１はビデオカメラ本体１の背面を形成する背面カバー、２２はビデオカメラ本体１背面と略平行に設けられた背面基板である。
【００４５】
背面基板２２のビデオカメラ本体１背面側の実装面には、トリガーボタン１８、メニューボタン１１、ホワイトバランス設定ボタン１３、フォーカス設定ボタン１４、露出設定ボタン１５の各ボタンに対応するタクトスイッチ２３，２４，２５，２６，２７及びメニューツマミ１２、記録媒体切替えレバー１９の位置を検出する検出スイッチ２８、モードダイヤル１６の位相を検知する接点ランド２９、電源ダイヤル１７の位相を検知する接点ランド３０が設けられている。また、背面基板２２のビデオカメラ本体１内部側の実装面には、カード状記録媒体を装着するためのカード状記録媒体装着部３１、不図示のＦＰＣによってメイン基板（不図示）に接続するためのコネクタ３２が設けられている。
【００４６】
３３はカード状記録媒体を保護するためのカード蓋であり、カード蓋３３の長手方向の長さより長くなっている支軸３４が、カード蓋に形成された支軸穴３３ａ及び背面カバーに形成された支軸穴（不図示）に勘合することで、回転可能に保持される。
【００４７】
次に、カード状記録媒体の装着方法について説明する。
【００４８】
図７は、カード状記録媒体の装着方法を説明するための図である。
【００４９】
図７において、３５はカード状記録媒体であり、カード蓋３３を回動させると露出するビデオカメラ本体底面に設けられた挿入口３６を通してカード状記録媒体装着部３１に装着される。
【００５０】
次に、カード蓋３３の材質及び形状について詳しく説明する。
【００５１】
カード蓋３３の材質はゴムやエラストマーなどの柔軟材で形成されると共に、形状は図２から図４に示すように、ビデオカメラ本体１の底面、背面及び隣接する側面を含む形状であり、回転中心は底面側に配置される。よって、図８に示すようにビデオカメラ本体１をグリップした状態において、柔軟材で形成されたカード蓋３３が親指の根元部分（関節部）が当たる部分に配置されることによって、当たりが柔らかくなり、グリップ感の向上に効果が得られるものである。
【００５２】
図９（ａ）はカード蓋３３を閉じた状態を示す断面図、図９（ｂ）はカード蓋３３を開いてカード状記録媒体３５を取り出す状態を示す断面図である。
【００５３】
図９（ａ）に示すように、カード蓋３３を回転可能な構成とすると、回転軌跡上の逃げの形状（図９（ａ）のＡで示した斜面）が必要となる。本実施例では、カード蓋３３の回転中心を底面側に配置したので、見栄えの悪い回転軌跡上の逃げ形状を外観上目立たなくすることが可能となる。
【００５４】
また、図９（ｂ）に示すように、カード蓋３３の材質を柔軟材とすることで、カード状記録媒体３５を取り出す時において、カード蓋３３が手に当たっても違和感無くカード状記録媒体３５を取り出すことが可能となる。
【００５５】
さらに、カード蓋３３のビデオカメラ本体１底面側には、図４に示すように、凸部３７が形成され、ビデオカメラ本体底面に設けられた凸部３８ａ，３８ｂ，３８ｃと共にビデオカメラ本体１の受け足として使用される。カード蓋３３の材質は摩擦係数の高いゴムやエラストマーなどの柔軟材で形成されるので、ビデオカメラ本体１の滑り止めの受け足としての役割を果たすことが可能となる。
【００５６】
以上説明したように、本実施形態では、ビデオカメラ本体１に電源を供給するバッテリー２０を表示部４が閉じた状態で対向する位置に配置し、ビデオカメラ本体１背面に略平行に背面基板２２を設け、ビデオカメラ本体１背面側の実装面に電源ダイヤル１７やトリガーボタン１８など操作部に対応する各種接点ランドやスイッチを実装し、ビデオカメラ本体１内部側の実装面にカード状記録媒体装着部３１を実装した。よって、撮影時に頻繁に使用する操作部をビデオカメラ本体１背面に集中配置することが可能となり、基板の実装効率向上及び操作性向上に効果を上げることが可能となる。
【００５７】
また、カード状記録媒体３５を保護するカード蓋３３の材質を柔軟材とし、形状をビデオカメラ本体１の底面、背面及び隣接する側面を含む形状としたので、ビデオカメラ本体１をグリップした時に、カード蓋３３が親指の根元（関節部）が当たる部分に配置されることによって、当たりが柔らかくなり、グリップ感の向上に効果を上げることが可能となる。
【００５８】
また、カード蓋３３の回転中心をビデオカメラ本体１底面側に配置したので、回転軌跡上の逃げ形状を外観上目立たなくすることが可能となる。
【００５９】
さらに、カード蓋３３の材質を柔軟材とすることで、カード状記録媒体３５を取り出す時において、カード蓋３３が手に当たっても違和感無くカード状記録媒体３５を取り出すことが可能となる。
【００６０】
また、カード蓋３３のビデオカメラ本体１底面側に凸部３７を形成することで、ビデオカメラ本体１の滑り止めの受け足としての役割を果たすことが可能となる。
【図面の簡単な説明】
【００６１】
【図１】本発明の実施形態におけるビデオカメラの正面方向（被写体側）右側から見た斜視図である。
【図２】本発明の実施形態におけるビデオカメラの後方（撮影者側）から見た背面図である。
【図３】本発明の実施形態におけるビデオカメラの左側面図である。
【図４】本発明の実施形態におけるビデオカメラの底面図である。
【図５】本発明の実施形態におけるビデオカメラの後方（撮影者側）から見た斜視図である。
【図６（ａ）】本発明の実施形態におけるビデオカメラ後部を後方（撮影者側）から見た分解斜視図である。
【図６（ｂ）】本発明の実施形態におけるビデオカメラ後部を前方（被写体側）から見た分解斜視図である。
【図７】本発明の実施形態におけるビデオカメラのカード状記録媒体の装着方法を説明するための図である。
【図８】本発明の実施形態におけるビデオカメラをグリップした状態を示す図である。
【図９（ａ）】本発明の実施形態におけるビデオカメラのカード蓋を閉じた状態を示す断面図である。
【図９（ｂ）】本発明の実施形態におけるビデオカメラのカード蓋を開いてカード状記録媒体を取り出す状態を示す断面図である。
【図１０】従来のビデオカメラの右側面図である。
【図１１】従来のビデオカメラを後方から見た背面図である。
【図１２】従来のビデオカメラを上面から見た上面図である。
【図１３】従来のビデオカメラをグリップした状態を示す図である。
【符号の説明】
【００６２】
１      ビデオカメラ本体
２      レンズ部
３      マイク部
４      表示部
５ａ，５ｂ，５ｃ，５ｄ，５ｅ，５ｆ，５ｇ  操作ボタン
６      カセットカバー
７      オープンツマミ
８      ズームツマミ
９      フォトボタン
１０    ファインダー部
１１    メニューボタン
１２    メニューツマミ
１３    ホワイトバランス設定ボタン
１４    フォーカス設定ボタン
１５    露出設定ボタン
１６    モードダイヤル
１７    電源ダイヤル
１８    トリガーボタン
１９    記録媒体切替えレバー
２０    バッテリー
２１    背面カバー
２２    背面基板
２３，２４，２５，２６，２７  タクトスイッチ
２８    検出スイッチ
２９，３０  接点ランド
３１    カード状記録媒体装着部
３２    コネクタ
３３    カード蓋
３３ａ  支軸穴
３４    支軸
３５    カード状記録媒体
３６    挿入口
【図１】
2006352541.tif 000003
【図２】
2006352541.tif 000004
【図３】
2006352541.tif 000005
【図４】
2006352541.tif 000006
【図５】
2006352541.tif 000007
【図６（ａ）】
2006352541.tif 000008
【図６（ｂ）】
2006352541.tif 000009
【図７】
2006352541.tif 000010
【図８】
2006352541.tif 000011
【図９（ａ）】
2006352541.tif 000012
【図９（ｂ）】
2006352541.tif 000013
【図１０】
2006352541.tif 000014
【図１１】
2006352541.tif 000015
【図１２】
2006352541.tif 000016
【図１３】
2006352541.tif 000017